(57)【要約】【課題】  火災の発生時に警報を行うとともに、停電時には非常照明となる火災警報器を得る。【解決手段】  火災現象に基づく環境変化を検出し出力する検出部と、該検出部の出力に基づいて警報の要否を判別する判別部と、該判別部からの火災出力を受けて警報を発する警報部と、を備えている。さらに、内部電源部と、非常照明部と、商用電源に接続されて上記各部に電源供給するための線路電源部と、該線路電源部の電圧を監視して該電圧が基準電圧以下となるときに前記内部電源を前記非常照明部に供給する照明制御部と、を備えている。これにより、地震発生の後など、商用電源がダウンするときに、照明器具が使えなくとも火災警報器から明かりを取ることができ、例えば、戸建住宅で居住者が一人のときに、孤独に真っ暗になることを防止できる。【選択図】  図１
2005293308.tif 000002
【特許請求の範囲】
【請求項１】
火災現象に基づく環境変化を検出し出力する検出部と、該検出部の出力に基づいて警報の要否を判別する判別部と、該判別部からの火災出力を受けて警報を発する警報部と、を備えている火災警報器において、
さらに、内部電源部と、非常照明部と、商用電源に接続されて上記各部に電源供給するための線路電源部と、該線路電源部の電圧を監視して該電圧が基準電圧以下となるときに前記内部電源を前記非常照明部に供給する照明制御部と、を備えていることを特徴とする火災警報器。
【請求項２】
非常照明部は、高輝度ＬＥＤによって構成されている請求項１の火災警報器。
【請求項３】
照明制御部は光センサを有しており、光のあるときには点灯を停止するものである請求項１の火災警報器。
【発明の詳細な説明】
【技術分野】
【０００１】
この発明は、火災警報器に関し、とくに非常照明の機能を有する火災警報器に関する。
【背景技術】
【０００２】
従来の火災警報器では、火災を判別するため、熱または煙等を検出しており、そのため、通常は住宅における天井面あるいは壁面のなるべく高いところに設置されている。そして、このような火災警報器には、警報のための部材としてブザーや音声警報用のスピーカなどが設けられていて、広く火災を知らせることができるようにされている。
【０００３】
従来の火災警報器として、火災時に発せられる警報を一旦停止できる引き紐が設けられた住宅用火災警報器が知られている（例えば、特許文献１を参照）。
【特許文献１】特開２００３−９９８７１号公報
【発明の開示】
【発明が解決しようとする課題】
【０００４】
このような火災警報器は、住宅内に配線されている、いわゆる商用電源または電池のいずれかを電源として稼動されるのがほとんどである。また、これらの双方とも用いることができる火災警報器もあり、こういった火災警報器は、利用者に対して安全のために設置することは勿論であるが、安心を提供するものでもある。しかし、商用電源から切離されても、独自に稼動できる装置として、火災警報以外の用途を備えてはいない。
【０００５】
したがって、この発明では、火災の発生時に警報を行うとともに、停電時には非常照明となる火災警報器を得ることを目的としている。
【課題を解決するための手段】
【０００６】
この発明の請求項１に係る火災警報器は、火災現象に基づく環境変化を検出し出力する検出部と、該検出部の出力に基づいて警報の要否を判別する判別部と、該判別部からの火災出力を受けて警報を発する警報部と、を備えている火災警報器において、さらに、内部電源部と、非常照明部と、商用電源に接続されて上記各部に電源供給するための線路電源部と、該線路電源部の電圧を監視して該電圧が基準電圧以下となるときに前記内部電源を前記非常照明部に供給する照明制御部と、を備えていることを特徴とするものである。
【０００７】
そして、この発明の請求項２に係る火災警報器は、非常照明部は、高輝度ＬＥＤによって構成されているものである。
【０００８】
また、この発明の請求項３に係る火災警報器は、照明制御部は光センサを有しており、光のあるときには点灯を停止するものである。
【発明の効果】
【０００９】
請求項１に係る火災警報器では、地震発生の後など、商用電源がダウンするときに、照明器具が使えなくとも火災警報器から明かりを取ることができ、例えば、戸建住宅で居住者が一人のときに、孤独に真っ暗になることを防止できるという効果がある。
【００１０】
そして、請求項２に係る火災警報器は、高輝度ＬＥＤによって明るく簡便に構成されている。
【００１１】
また、請求項３に係る火災警報器は、光センサによって光のあるときには点灯を停止することで、点灯できる時間を夜間等の暗いときに限定することができるという効果がある。
【発明を実施するための最良の形態】
【００１２】
実施形態１
図１は、本発明の一実施形態である火災警報器Ｓを示すブロック回路図、図２は、火災警報器の外観についての正面図、図３はその側面図、図４から図６までは、火災警報器Ｓの動作を示すフローチャートである。
【００１３】
この実施形態の火災警報器Ｓを構成する各ブロックについて説明すると、図１において、１は内部電源部（予備電源）としての電池、２は電池１の電圧を監視することによる電源監視回路、３は電源監視回路２への電源供給を開閉するスイッチ回路、４は一定の電圧（例えば３Ｖ）を供給する定電圧回路、５は煙や熱等を検出する検出部としての火災検出回路、６は電流制限用の抵抗７が直列に接続された試験用を兼用した音響停止スイッチ、８はこの火災警報器全体の処理制御を行う判別部および照明制御部としてのマイクロコンピュータ（マイコン）、１０は警報部として各種フレーズの音声をスピーカ１１から出力させる機能を有する音声合成回路、１２は音声を出力するときに閉じられる音声合成回路１０への電源供給用のスイッチ回路、である。
【００１４】
また、１３はメインの電源としての商用電源、１４は商用電源１３に接続され、その電圧を所定の電圧に変圧して供給する線路電源部としてのトランスおよび整流回路、１５はマイコン８に制御されずに停電時に自動的に電源を電池１側に切り換えられるように接点１６、１７を切り換える自動切換回路、１８は商用電源１３のダウンを検出するための停電検出回路、１９は必要時に停電検出回路１８を稼動させるためのスイッチ回路、２０は照明制御部としてのマイコン８からの出力に基づいて非常照明部としての高輝度発光ダイオード（ＬＥＤ）２１を点灯制御するための点灯回路、である。
【００１５】
上記のように構成される火災警報器Ｓの外観については、図２および図３に示すように、本体の前面側に、非常照明部としてのＬＥＤ２１の窓部３５が設けられている。この窓部３５を介してＬＥＤ２１の点灯時に、火災警報器Ｓから室内に、照明光を発することができるようになっている。
【００１６】
この火災警報器Ｓの本体２０の形状は、煙式に関するもので、外周を金網で覆われた煙流入口３０が形成されている。また、火災警報器Ｓの正面には、音響停止スイッチ６をオン操作するための押ボタン３１および紐３２が示されており、スピーカ１１の位置に対応する音響口３３が示されている。
【００１７】
このような火災警報器Ｓは、詳細に説明しないが、ベース部材を利用して住宅の天井面等に設置される。また、図示しないが、この火災警報器Ｓの商用電源１３は、室内の照明装置の電源となるコンセントに接続し、その二次側に照明装置が来るようにすることで、火災警報器Ｓでの停電検出時に、照明装置も停電とすることができる。
【００１８】
つぎに、上記のような構成による火災警報器Ｓの動作について、説明する。
【００１９】
まず、メインのフローチャートを示す図４において、商用電源１３に接続されて電源がオンになると、初期設定として図１のマイコン８の全フラグがクリアされ（Ｓ１）、図示しないマイコン８の記憶部に設定される各タイマの全カウンタがクリアされる（Ｓ２）。次いで、ステップ３にて音響停止スイッチ６から入力があったか否かのスイッチ入力判定の処理が行われ、ステップ４にて火災発生の有無を判断する火災監視の処理が行われ、ステップ５にて断線監視の処理が行われ、ステップ６にて電池電圧低下監視の処理が行われ、その後、ステップ７にて監視結果出力の処理が行われてから、ステップ３のスイッチ入力判定処理に戻る。そして、ステップ３〜ステップ７の処理が繰り返される。
【００２０】
つぎに、個々のルーチンにつき、簡単に説明すると、まず、各スイッチ入力判定処理のルーチン（Ｓ３）は、図示せず詳細に説明しないが、マイコン８が音響停止スイッチ６からの入力の有無を見て、スイッチ６から入力がなければ終了し、また、スイッチ８から入力があれば、次に火災フラグＦ１のセットの有無を見て、火災フラグＦ１がセットされていれば火災状態を示す火災音声フレーズが出力されるので、火災音声フレーズを例えば５分間停止させるための火災音声停止フラグＦ５をセットし、このルーチンを終了し、図４のメインのフローチャートに戻り、ステップ４の火災監視処理に進む。
【００２１】
また、火災フラグＦ１がセットされてなく、次に断線フラグＦ２、電圧低下中フラグＦ３または電圧低下確定フラグＦ４のセットの有無で、いずれかのフラグがセットされていれば、異常を示す音声メッセージとしての異常音声「警報器が異常です。交換してください。」を１回出力するための処理をし、このルーチンを終了する。
【００２２】
また、各フラグＦ３、Ｆ４、Ｆ５のいずれもセットされていなければ、火災警報器Ｓが正常な状態にあると判定され、正常であることを示すため、火災音声「火事です。火事です。」を１回出力するための処理をし、このルーチンを終了する。このような、異常音声または火災音声の発声は、音響停止スイッチ６の操作による試験機能として、火災警報器Ｓの状態を把握することが可能となっている。
【００２３】
つぎに、火災監視処理（Ｓ４）のルーチンは、図示せず詳細に説明しないが、まず火災検出回路５からの検出値をマイコン８が取り込んで、この検出値と火災判別レベルとを比較し、つまり検出値が火災判別レベル以上となったか否かを見ることで、火災が発生したか否かを判断し、火災が発生していないと判定されれば、火災フラグＦ１をクリアし、次いで、火災音声の音を鳴らさない期間を設定するため、マイコン８内で処理される５分間タイマをクリアし、さらに火災音声停止フラグＦ５もクリアし、このルーチンを終了し、図４のメインのフローチャートに戻り、ステップ５の断線監視処理に進む。
【００２４】
また、火災が発生していると判定されれば、火災フラグＦ１をセットした後、火災音声停止フラグＦ５のセットの有無を見て、火災音声停止フラグＦ５がセットされていれば、５分間タイマのカウントを継続し、次いで、５分経過の有無を見て、５分経過していなければ、このルーチンを終了する。また、５分経過したと判定されれば、火災音声を出せるように、５分間タイマをクリアし、火災音声停止フラグＦ５もクリアし、このルーチンを終了する。
【００２５】
つぎに、断線監視処理（Ｓ５）のルーチンは、図示せず詳細に説明しないが、まず火災フラグＦ１のセットの有無を見て、火災フラグＦ１がセットされていれば火災検出が優先されるため、このルーチンを終了し、図４のメインのフローチャートに戻り、ステップ６の電池電圧監視処理に進む。
【００２６】
また、火災フラグＦ１がセットされていなければ、次に火災検出回路５からの検出値から断線しているか否かが判断される。すなわち検出値がほとんど得られない状態か否かを見ることで、出力が得られなければ、何らかの回路素子が断線していると判断し、断線していなければ、断線フラグＦ２をクリアし、処理を終了する。また、断線していると判定されれば、断線フラグＦ２をセットし、このルーチンを終了する。
【００２７】
つぎに、電池電圧低下監視処理（Ｓ６）のルーチンは、照明制御の処理を含み、図５に示すように、まず、マイコン８はスイッチ回路１９をオンして停電検出回路１８からの出力の有無を確認し（Ｓ６１）、出力が得られず停電と判断されるときには、照明停止フラグＦ６がセットされていなければ（Ｓ６２）、非常照明部としてのＬＥＤ２１を点灯させるように、マイコン８が点灯回路２０に点灯出力を行う（Ｓ６３）。
【００２８】
その後、この火災警報器Ｓでは、電池１の電源を非常照明機能として有効利用するため、その他の処理を行わず、不要となることを検出するまでＬＥＤ２１の点灯を継続する。すなわち、非常照明が不要な場合として、利用者の停止操作としての音響停止スイッチ６の操作を監視し（Ｓ６４）、スイッチ６の入力があれば、ＬＥＤ２１の点灯のための出力を停止して消灯させ（Ｓ６５）、照明停止フラグＦ６をセットして（Ｓ６６）、このルーチンを終了し、図５のメインのフローチャートに戻り、ステップ７の監視結果出力処理に進む。
【００２９】
また、非常照明が不要な場合として、停電が復旧する場合があり、停電検出回路１８を稼動させて出力があるときに（Ｓ６７）、ＬＥＤ２１の点灯のための出力を停止して消灯させ（Ｓ６８）、このルーチンを終了する。
【００３０】
なお、ステップ６１において停電と判断されなければ、商用電源１３により稼動しているものとして、停電時にＬＥＤ２１を点灯できるように、照明停止フラグＦ６をクリアして（Ｓ６９）、このルーチンを終了する。
【００３１】
また、停電状態で非常照明機能が不要の電池１による通常監視状態であることを示す照明停止フラグＦ６がセットされているときに（Ｓ６２）、電池１の電圧低下を判別する動作に入るが、まず火災フラグＦ１がセットされているか否かを見て（Ｓ６１０）、火災フラグＦ１がセットされていれば、火災検出を優先するため処理を終了し、また、火災フラグＦ１がセットされていなければ、電池電圧低下監視動作（Ｓ６１１）の処理に入っていく。
【００３２】
この電池電圧低下監視動作（Ｓ６１１）について、図示せず詳細に説明しないが、まず電池電圧低下確定フラグＦ４がセットされているか否かを見て、電池電圧低下確定フラグＦ４がセットされていれば、それ以降の電池電圧の監視処理は行わず、電池電圧低下確定フラグＦ４がセットされていなければ、電池１の電圧が所定の電圧値以下に低下したか否かを見て、低下していなければ、正常であるため、電池電圧低下中フラグＦ３をクリアして、また、低下したと判定されれば、電圧低下検出中フラグＦ３をセットして、２回連続して電圧低下が検出されたと判定されれば、電池電圧低下確定フラグＦ４をセットし、このルーチンを終了する。
【００３３】
つぎに、監視結果出力処理（Ｓ７）のルーチンは、図６に示すように、まず火災フラグＦ１がセットされているか否かをみて（Ｓ７１）、火災フラグＦ１がセットされていれば、次に火災音声停止フラグＦ５がセットされているか否かを見て（Ｓ７２）、フラグＦ５がセットされていなければ、火災が発生しているので、非常照明部としてのＬＥＤ２１を警報の意味でパルス点灯させるための点灯回路２０への出力を行った後（Ｓ７３）火災音声「火事です。火事です。」を出力して（Ｓ７４）、処理を終了し、図４のメインのフローチャートに戻り、ステップ３のスイッチ入力監視処理に進む。
【００３４】
また、ステップ７１にて火災フラグがセットされていないと判定されれば、異常を示すフラグとしての断線フラグＦ２および電池電圧低下確定フラグＦ４のいずれかがセットされているか否かをみる（Ｓ７５）。そして、いずれもセットされていなければ、処理を終了して、メインに戻り、また、フラグＦ２、Ｆ４のいずれかがセットされていると判定されれば、異常音声を出力するための処理をする（Ｓ７６）。
【００３５】
この異常音声を出力する処理について、図示せず詳細に説明しないが、断線フラグＦ２がセットされている場合、マイコン８から音声合成回路１０に音出力指令信号と選択信号を入力して異常音声を１回出力させた後、バック信号を受けてから再度マイコン８から音声合成回路１０に音出力指令信号と選択信号を入力して、異常音声を２回出力させる。
【００３６】
また、電池電圧低下確定フラグＦ４がセットされている場合、別途１時間タイマが用いられ、１時間経過したか否かを見て、１時間ごとに、上記のように異常音声を２回出力させる。また、４０秒間タイマも用いられ、４０秒経過したか否かを見て、４０秒ごとに、注意音「ピッ」を出力するようになっている。
【００３７】
なお、この異常音声を出力する際に、火災音声と同様に、ＬＥＤ２１を点灯してもよく、このときの発光量は火災時よりも小さくてよい。
【００３８】
この実施形態１における火災警報器Ｓでは、火災現象に基づく環境変化を検出し出力する火災検出回路５と、この火災検出回路５の出力に基づいて警報の要否を判別するマイコン８と、マイコン８からの出力を受けてスピーカ１１から警報を発する音声合成回路１０とを備え、さらに、電池１と、ＬＥＤ２１と、商用電源１３に接続されて各部に電源供給するためのトランスおよび整流回路１４と、この商用電源１３に基づく電圧を監視してその電圧が基準電圧以下となるときに電池１をＬＥＤ２１に供給するマイコン８とを備えているものであり、地震発生の後など、商用電源１３がダウンするときに、図示しない照明器具が使えなくとも火災警報器Ｓから明かりを取ることができ、例えば、戸建住宅で居住者が一人のときに、孤独に真っ暗になることを防止できる。
【００３９】
なお、この火災警報器Ｓにおいて、非常照明機能としてのＬＥＤ２１の点灯時に、火災判別を行わないようにしたが、ＬＥＤ２１を点灯しながら火災判別を行ってもよく、また、ＬＥＤ２１の点灯は、マイコン８の処理の基づかず、自動切換回路１５が回路的に停電を検出して接点１６、１７を切り換えるのと同時にＬＥＤ２１を接点によって点灯してもよい。また、当然、警報音は音声メッセージではなく、ブザー音でもよい。
【００４０】
実施形態２
つぎに、本発明の実施形態２について説明する。この実施形態２の火災警報器ＳＬは、上記実施形態１の火災警報器Ｓと同様の構造およびブロック構成を有しており、その実施形態１との相違点について説明すると、火災警報器ＳＬには、図示しないが、照明の有無を検出する光センサが設けられていて、単に商用電源１３がダウンするのみでなく、その光センサが照明器具の明かりを検出しないときに、ＬＥＤ２１をオンするように構成したものである。
【００４１】
これにより、例えば、火災警報器Ｓのみの商用電源１３からの遮断の場合にも、具体的に暗くなることを検出して、マイコン８がＬＥＤ２１を点灯させるので、現実に部屋内が暗い場合にのみＬＥＤ２１を点灯させることができる。さらに、現実の停電であっても、昼間は照明が不要であり、夜間のみの非常照明機能とすることができる。
【００４２】
このような、火災警報器ＳＬの動作について、上記実施形態１とほぼ同様であるが、相違点について説明する。
【００４３】
まず、全体的な動きは同じであり、各ルーチンは同じように実行される。その中で、電池電圧監視処理のルーチンについては、図７に示すように、停電であって（Ｓ６１）、照明停止フラグＦ６がセットされてなく（Ｓ６２）、ＬＥＤ２１を点灯するための出力を行う前に、図示しない光センサの出力を取り込んで、明かりの有無を判別し（Ｓ６２１）、明かりがある場合には、電池電圧低下監視動作（Ｓ６１１）が行えるように、ステップ６１０に進む。
【００４４】
そして、ステップ６２１において、図示しない光センサの出力から明かりがないと判断されると、実施形態１のように、ＬＥＤ２１を点灯して（Ｓ６３）、音響停止スイッチ６の入力（Ｓ６４）または停電の復旧（Ｓ６７）を待つことになるが、同様に、図示しない光センサの出力（Ｓ６２２）から明かりの存在があると判別されるときに、ステップ６８に進み、ＬＥＤ２１を消灯して電池１に基づく動作を行う。
【００４５】
この実施形態２における火災警報器ＳＬでは、マイコン８は、図示しない光センサを有しており、光（明かり）のあるときにはＬＥＤ２１の点灯を停止することができ、電池１を有効に利用する。
【図面の簡単な説明】
【００４６】
【図１】この発明の実施形態１を示すブロック回路図。
【図２】実施形態１の外観を示す正面図。
【図３】図２の側面図。
【図４】実施形態１の動作を示すメインのフローチャート。
【図５】図４の電池電圧低下判別処理の動作を示すフローチャート。
【図６】図４の監視結果出力処理の動作を示すフローチャート。
【図７】この発明の実施形態２の電池電圧低下判別処理を示すフローチャート。
【符号の説明】
【００４７】
１  電池
５  火災検出回路
８  マイコン
１３  商用電源
１５  自動切換回路
２１  ＬＥＤ
【図１】
2005293308.tif 000003
【図２】
2005293308.tif 000004
【図３】
2005293308.tif 000005
【図４】
2005293308.tif 000006
【図５】
2005293308.tif 000007
【図６】
2005293308.tif 000008
【図７】
2005293308.tif 000009